(57)【要約】【課題】  チャネル変更時における切り換え時間を短くする。【解決手段】  複数の情報チャネルをＯＦＤＭ方式で放送する場合、複数の情報チャネルをそれぞれ別途ＯＦＤＭ変調して送信するのではなく、その複数の情報チャネルを周波数方向に多重化して一括してＩＦＦＴ変調するといった、連結送信をする。このことによって周波数利用効率を高くすることができる。本発明では、他の情報チャネルに送信されるＯＦＤＭ信号が当該情報チャネルに送信されるＯＦＤＭ信号と連結されているか否かを示す連結送信情報をＯＦＤＭ信号のＮＩＴ等に含めて送信する。【選択図】  図５
2005245028.tif 000002
【特許請求の範囲】
【請求項１】
複数の情報系列から直交周波数分割多重（ＯＦＤＭ）信号を生成して、送信するＯＦＤＭ送信装置において、
上記情報系列から周波数領域のＯＦＤＭ信号を生成する複数のエンコーダと、
上記各エンコーダから出力された複数の周波数領域のＯＦＤＭ信号を一括して逆フーリエ変換することにより、複数の情報系列が周波数方向に多重化されたベースバンドのＯＦＤＭ信号を生成する多重化／逆フーリエ変換部と、
上記ベースバンドのＯＦＤＭ信号を直交変調する直交変調部と、
直交変調された上記ＯＦＤＭ信号をＲＦ帯域の信号に周波数変換して送信する送信部とを備え、
各上記エンコーダは、他のエンコーダにより生成される周波数領域のＯＦＤＭ信号とともに一括して逆フーリエ変換されているか否かを示す情報を、出力する周波数領域のＯＦＤＭ信号に含めること
を特徴とするＯＦＤＭ送信装置。
【請求項２】
各上記エンコーダは、一括して逆フーリエ変換される情報系列の数と、周波数方向に多重化された後の周波数位置を示す位置情報とを、出力する周波数領域のＯＦＤＭ信号に含めること
を特徴とする請求項１記載のＯＦＤＭ送信装置。
【請求項３】
一括して逆フーリエ変換する情報系列毎にグループが定められており、
各上記エンコーダは、いずれのグループに属しているかを示す情報を、出力する周波数領域のＯＦＤＭ信号に含めること
を特徴とする請求項１記載のＯＦＤＭ送信装置。
【請求項４】
地上デジタル放送に用いられる直交周波数分割多重（ＯＦＤＭ）信号のＯＦＤＭ送信装置において、
対応する情報チャネルの情報系列が入力され、入力された情報系列から周波数領域のＯＦＤＭ信号を生成する複数のエンコーダと、
各上記エンコーダから出力された複数の周波数領域のＯＦＤＭ信号を一括して逆フーリエ変換することにより、複数の情報チャネルのＯＦＤＭ信号を周波数方向に連結して送信する連結送信部とを備え、
各上記エンコーダは、他の情報チャネルに送信されるＯＦＤＭ信号が、当該情報チャネルに送信されるＯＦＤＭ信号と連結されているか否かを示す連結送信情報を、出力する周波数領域のＯＦＤＭ信号に含めること
を特徴とするＯＦＤＭ送信装置。
【請求項５】
各上記エンコーダは、連結する情報チャネルの数と、連結した複数の情報チャネル内における周波数位置を示す位置情報とを、上記連結送信情報として周波数領域のＯＦＤＭ信号に含めること
を特徴とする請求項４記載のＯＦＤＭ送信装置。
【請求項６】
連結する複数の情報チャネル毎にグループが定められており、
各上記エンコーダは、いずれのグループに属するかを示す連結送信グループ情報を、上記連結送信情報として周波数領域のＯＦＤＭ信号に含めること
を特徴とする請求項４記載のＯＦＤＭ送信装置。
【請求項７】
複数の情報系列に対した複数の周波数領域の直交周波数分割多重（ＯＦＤＭ）信号を生成し、
上記複数の周波数領域のＯＦＤＭ信号を一括して逆フーリエ変換を施すことにより、複数の情報系列が周波数方向に多重化されたベースバンドのＯＦＤＭ信号を生成し、
上記ベースバンドのＯＦＤＭ信号を直交変調し、
直交変調された上記ＯＦＤＭ信号をＲＦ帯域の信号に周波数変換して送信するＯＦＤＭ送信方法であって、
生成される上記周波数領域のＯＦＤＭ信号とともに一括して逆フーリエ変換されているか否かを示す情報を、出力する上記周波数領域のＯＦＤＭ信号に含めること
を特徴とするＯＦＤＭ送信方法。
【請求項８】
一括して逆フーリエ変換される情報系列の数と、周波数方向に多重化された後の周波数位置を示す位置情報とを、出力する上記周波数領域のＯＦＤＭ信号に含めること
を特徴とする請求項７記載のＯＦＤＭ送信方法。
【請求項９】
一括して逆フーリエ変換する情報系列毎にグループが定められており、
いずれのグループに属しているかを示す情報を、出力する上記周波数領域のＯＦＤＭ信号に含めること
を特徴とする請求項７記載のＯＦＤＭ送信方法。
【請求項１０】
地上デジタル放送に用いられる直交周波数分割多重（ＯＦＤＭ）信号を送信するＯＦＤＭ送信方法において、
複数の情報チャネルの情報系列が入力され、入力された複数の情報系列から複数の周波数領域のＯＦＤＭ信号を生成し、
上記複数の周波数領域のＯＦＤＭ信号を一括して逆フーリエ変換することにより、複数の情報チャネルのＯＦＤＭ信号を周波数方向に連結して連結して送信するＯＦＤＭ送信方法であって、
他の情報チャネルに送信されるＯＦＤＭ信号が当該情報チャネルに送信されるＯＦＤＭ信号と連結されているか否かを示す連結送信情報を、上記周波数領域のＯＦＤＭ信号に含めること
を特徴とするＯＦＤＭ送信方法。
【請求項１１】
連結する情報チャネルの数と、連結した複数の情報チャネル内における周波数位置を示す位置情報とを、上記連結送信情報として周波数領域のＯＦＤＭ信号に含めること
を特徴とする請求項１０記載のＯＦＤＭ送信方法。
【請求項１２】
連結する複数の情報チャネル毎にグループが定められており、
いずれのグループに属するかを示す連結送信グループ情報を、上記連結送信情報として周波数領域のＯＦＤＭ信号に含めること
を特徴とする請求項１０記載のＯＦＤＭ送信方法。
【発明の詳細な説明】
【技術分野】
【０００１】
本発明は、直交周波数分割多重化伝送（ＯＦＤＭ：Orthogonal Frequency Division Multiplexing）方式によるデジタル放送等の送信装置及び方法に関するものである。
【背景技術】
【０００２】
近年、デジタル信号を伝送する方式として、直交周波数分割多重方式（ＯＦＤＭ：Orthogonal Frequency Division Multiplexing）と呼ばれる変調方式が提案されている。このＯＦＤＭ方式は、伝送帯域内に多数の直交する副搬送波（サブキャリア）を設け、それぞれのサブキャリアの振幅及び位相にデータを割り当て、ＰＳＫ（Phase Shift Keying）やＱＡＭ（Quadrature Amplitude Modulation）によりディジタル変調する方式である。
【０００３】
このＯＦＤＭ方式は、多数のサブキャリアで伝送帯域を分割するため、サブキャリア１波あたりの帯域は狭くなり変調速度は遅くはなるが、トータルの伝送速度は、従来の変調方式と変わらないという特徴を有している。また、このＯＦＤＭ方式は、多数のサブキャリアが並列に伝送されるためにシンボル速度が遅くなるという特徴を有している。そのため、このＯＦＤＭ方式は、シンボルの時間長に対する相対的なマルチパスの時間長を短くすることができ、マルチパス妨害を受けにくくなる。また、ＯＦＤＭ方式は、複数のサブキャリアに対してデータの割り当てが行われることから、変調時には逆フーリエ変換を行うＩＦＦＴ（Inverse Fast Fourier Transform）演算回路、復調時にはフーリエ変換を行うＦＦＴ（Fast Fourier Transform）演算回路を用いることにより、送受信回路を構成することができるという特徴を有している。
【０００４】
以上のような特徴からＯＦＤＭ方式は、マルチパス妨害の影響を強く受ける地上波ディジタル放送に適用することが広く検討されている。このようなＯＦＤＭ方式を採用した地上波ディジタル放送としては、日本においては、ＩＳＤＢ−Ｔ（Integrated Services Digital Broadcasting -Terrestrial）といった規格が提案されている。
【０００５】
ところで、このようなＯＦＤＭ方式を用いた情報の伝送を行う場合、隣接するチャネルからの混信を防ぐため図１６に示すように、各チャネル間に所定量の周波数間隔を空けて、ガードバンドを設けていた。しかしながら、このようにガードバンドを設けた場合、各チャネルが占有する帯域幅が広く、周波数利用効率が悪くなっていた。
【０００６】
そのため、本出願人は、特願平１１−００５７４６８号において、複数の情報チャネルの周波数領域のＯＦＤＭ信号の中心周波数をそれぞれ変えて、これらを周波数方向に多重化し、複数の情報チャネルの周波数領域のＯＦＤＭ信号を一括して逆フーリエ変換する、というＯＦＤＭ信号の連結送信方法を提案した。
【０００７】
このＯＦＤＭ信号の連結送信方法によれば、例えば、３つの情報チャネルの情報系列（Ｃｈ１，Ｃｈ２，Ｃｈ３）を送信する場合、図１７に示すように、各チャネル間のガードバンドを除去した状態で、３つの情報チャネルを周波数軸方向に連結して送信することができる。
【０００８】
以下、このＯＦＤＭ信号の連結送信を行うことができるＯＦＤＭ送信装置について具体的に説明をする。
【０００９】
図１８に、ＯＦＤＭ信号の連結送信を行うことができるＯＦＤＭ送信装置のブロック構成図を示す。連結するチャネル数は、任意の数とすることができるが、ここでは、３つの情報チャネルの情報系列（Ｃｈ１，Ｃｈ２，Ｃｈ３）を連結送信する例を示す。なお、ＲＦ帯域での各情報チャネルの中心周波数は、図１７に示したように、第１の情報チャネルがｆ１、第２の情報チャネルがｆ２、第３の情報チャネルがｆ３であるものとする。
【００１０】
ＯＦＤＭ送信装置１０１は、第１のチャネルエンコーダ１０２-１と、第２のチャネルエンコーダ１０２-２と、第３のチャネルエンコーダ１０２-３と、第１の周波数変換部１０３-１と、第２の周波数変換部１０３-２と、第３の周波数変換部１０３-３と、多重化部１０４と、ＩＦＦＴ演算部１０５と、ガードインターバル付加部１０６と、直交変調部１０７と、周波数変換部１０８と、アンテナ１０９とを備えて構成される。
【００１１】
第１のチャネルエンコーダ１０２-１には、第１の情報チャネルの情報系列が入力される。第１のチャネルエンコーダ１０２-１は、リードソロモン符号化処理、エネルギー拡散処理、インタリーブ処理、畳み込み符号化処理、マッピング処理、ＯＦＤＭフレーム構成処理等を行う。この第１のチャネルエンコーダ１０２-１は、以上のような処理を行い、周波数領域のＯＦＤＭ信号である第１のチャネルデータを生成する。この周波数領域のＯＦＤＭ信号である第１のチャネルデータは、その中心周波数が０とされている。
【００１２】
第２のチャネルエンコーダ１０２-２、第３のチャネルエンコーダ１０２-３は、それぞれ第２の情報チャネルの情報系列及び第３の情報チャネルの情報系列に対して、第１のチャネルエンコーダ１０２-１と同様の処理を行う。また、これら第２のチャネルエンコーダ１０２-２、第３のチャネルエンコーダ１０２-３から出力される周波数領域のＯＦＤＭ信号（第２のチャネルデータ及び第３のチャネルデータ）も、その中心周波数が０とされている。
【００１３】
第１の周波数変換部１０３-１は、第１のチャネルエンコーダ１０２-１から出力された第１のチャネルデータ（周波数領域のＯＦＤＭ信号）の中心周波数をシフトする周波数変換処理を行う。第１の周波数変換部１０３-１は、第１のチャネルデータの中心周波数を、０から（ｆ１−ｆ２）に周波数変換をする。
【００１４】
第２の周波数変換部１０３-２は、第２のチャネルエンコーダ１０２-２から出力された第２のチャネルデータ（周波数領域のＯＦＤＭ信号）の中心周波数をシフトする周波数変換処理を行う。第２の周波数変換部１０３-２は、第２のチャネルデータの中心周波数を、０から（ｆ２−ｆ２）に周波数変換をする。
【００１５】
第３の周波数変換部１０３-３は、第３のチャネルエンコーダ１０２-３から出力された第３のチャネルデータ（周波数領域のＯＦＤＭ信号）の中心周波数をシフトする周波数変換処理を行う。第３の周波数変換部１０３-３は、第３のチャネルデータの中心周波数を、０から（ｆ３−ｆ２）に周波数変換をする。
【００１６】
なお、第２のチャネルデータは、連結送信される３つのチャネルのうち、第２の情報チャネルが中心位置に配置されるため、実質上周波数変換は行われない。
【００１７】
多重化部１０４は、第１の周波数変換部１０３-１、第２の周波数変換部１０３-２及び第３の周波数変換部１０３-３から出力された各チャネルデータを、周波数方向に多重化して、多重化信号を生成する。
【００１８】
ＩＦＦＴ演算部１０５は、多重化部１０４により多重化された３チャネル分の多重化信号を一括して逆フーリエ変換し、時間領域のベースバンドのＯＦＤＭ信号を生成する。生成されたベースバンドのＯＦＤＭ信号の周波数特性は、図１９に示すように、第１の情報チャネルの中心周波数が（ｆ１−ｆ２）となっており、第２の情報チャネルの中心周波数が０となっており、第３の情報チャネルの中心周波数が（ｆ３−ｆ２）となっている。そして、このベースバンドのＯＦＤＭ信号は、第１〜第３の情報チャネルの情報が周波数分割多重されているとともに、全ての搬送波間で符号間干渉が生じないように直交性が保たれている。
【００１９】
ガードインターバル付加部１０６は、ＩＦＦＴ演算部１０５からのベースバンドのＯＦＤＭ信号にガードインターバルを付加する。ＯＦＤＭ方式による送信信号は、図２０に示すように、ＯＦＤＭシンボルと呼ばれるシンボル単位で伝送される。このＯＦＤＭシンボルは、送信時にＩＦＦＴが行われる信号期間である有効シンボルと、この有効シンボルの後半の一部分の波形がコピーされたガードインターバルとから構成されている。このガードインターバルは、ＯＦＤＭシンボルの前半部分に設けられる。ガードインターバル付加部１０６は、このようなガードインターバルを生成し、有効シンボルに付加する。
【００２０】
直交変調部１０７は、ガードインターバルが付加されたベースバンドのＯＦＤＭ信号を、周波数ｆＩＦの中間周波数帯の搬送波に対して直交変調し、ＩＦ信号を出力する。
【００２１】
周波数変換部１０８は、直交変調部１０７から出力されたＩＦ信号に、周波数ｆ２＋ｆＩＦの搬送波信号を乗算して、ＲＦ信号帯域の送信信号を生成する。
【００２２】
この周波数変換部１０８により生成された送信信号は、アンテナ１０９を介して送信される。
【００２３】
以上のようにＯＦＤＭ送信装置１０１では、３つの情報チャネルのチャネルデータ（周波数領域のＯＦＤＭ信号）の中心周波数をそれぞれ変えて、これらを周波数方向に多重化し、複数の情報チャネルの周波数領域のＯＦＤＭ信号を一括して逆フーリエ変換する、というＯＦＤＭ信号の連結送信を行うことができる。
【００２４】
このような連結送信を行うと、３つのチャネルに対して一括してＩＦＦＴを行うこととなり各サブキャリア間の符号間干渉が発生せず直交性が保たれて変調される。そのため、連結された３つのチャネル内では干渉が生じない。従って、このＯＦＤＭ送信装置１０１では、隣接チャネルからの干渉を防ぐためのガードバンドを設けることなく、３チャネル分の情報の送信をすることができる。
【００２５】
そして、このような信号を受信するＯＦＤＭ受信装置では、ローカル発振器の発振周波数を希望する情報チャネルの中心周波数にチューニングしてＩＦ信号を検出する。例えば、第１の情報チャネルを受信する場合には周波数（ｆ１）にチューニングし、第２の情報チャネルを受信する場合であれば周波数（ｆ２）にチューニングし、第３の情報チャネルを受信する場合であれば周波数（ｆ３）にチューニングすればよい。検出されたＩＦ信号は、周波数（ｆＩＦ）の搬送波を用いて直交復調され時間領域のベースバンドのＯＦＭＤ信号とされる。このベースバンドのＯＦＤＭ信号の中心周波数は、どの情報チャネルを受信した場合にも、０となる。そして、このベースバンドのＯＦＤＭ信号をＦＦＴ変換して、周波数領域のＯＦＤＭ信号であるチャネルデータを復調する。
【００２６】
このようにＯＦＤＭ受信装置では、複数の情報チャネルの周波数領域のＯＦＤＭ信号を周波数方向に多重化し一括して逆フーリエ変換した連結送信がされていたとしても、各情報チャネルの中心周波数にローカル発振器の発振周波数をチューニングすることによって、１つのチャネルのみを選択的に受信することができる。
【００２７】
次に、デジタル地上波放送の放送方式の一つであるＩＳＤＢ−Ｔ規格（モード１の場合）に定められているフレーム構成について説明をする。
【００２８】
ＩＳＤＢ−Ｔ規格では、図２１及び図２２に示すように、ＯＦＤＭフレームという、伝送データのデータ構成が定められている。図２１は、差動変調（ＤＱＰＳＫ）により情報信号を変調する場合におけるフレーム構成を示しており、図２２は、同期変調（ＱＰＳＫ、１６ＱＡＭ、６４ＱＡＭ）により情報信号を変調する場合におけるフレーム構成を示している。
【００２９】
この図２１及び図２２に示すように、１シンボルで送信されるデータ数は、１０８（キャリア番号＃０〜＃１０７）個である。この１シンボルのデータ単位をＯＦＤＭシンボルと呼ぶ。また、２０４個のＯＦＤＭシンボル（シンボル番号＃０〜＃２０３）で１ＯＦＤＭフレームを構成している。
【００３０】
この１ＯＦＤＭフレームには、ＱＰＳＫ、１６ＱＡＭ、６４ＱＡＭ等で直交変調された情報信号（Ｓ０，０〜Ｓ９５，２０３）が含まれるとともに、ＣＰ（Continual Pilot）信号、ＴＭＣＣ（Transmission and Multiplexing Configuration Control）、ＡＣ（Auxiliary Channel）、ＳＰ(Scattered Pilot)信号といった各種制御信号も含まれる。
【００３１】
ＣＰ信号は、全て固定の位相及び振幅の信号である。ＣＰ信号は、差動変調により情報信号を変調する場合、各ＯＦＤＭシンボルの先頭キャリア（もっとも周波数が低い位置）に配置されている。また、ＣＰ信号は、連結送信をする場合には、連結送信帯域の右端（最も高い周波数）に配置されている。
【００３２】
ＳＰ信号は、ＢＰＳＫ変調された信号であり、図２２に示したように、周波数方向に１２キャリアに１回、シンボル方向に４シンボルに１回挿入されるように配置されている。このＳＰ信号は、受信側で波形等化する際に伝搬路特性を推定するために用いられるものであるので、波形等化を必要とする同期変調（ＱＰＳＫ、１６ＱＡＭ、６４ＱＡＭ）の場合にのみ挿入がされる。
【００３３】
ＴＭＣＣ信号及びＡＣ信号は、ＢＰＳＫ変調された信号であり、各シンボル内における配置位置は、図２３及び図２４に示すとおりである。図２３は、差動変調用のＯＦＤＭフレームでの配置を示し、図２４は同期変調用のＯＦＤＭフレームでの配置を示す。ＡＣ信号は、付加情報の伝送に用いられる。ＴＭＣＣ信号は、伝送制御情報の伝送に用いられる。
【００３４】
このＴＭＣＣ信号は、１ＯＦＤＭフレーム単位で完結する２０４ビット（Ｂ０〜Ｂ２０３）の情報である。ＴＭＣＣ信号に割り当てられている情報内容を図２５に示す。
【００３５】
Ｂ０ニは、差動復調の振幅及び位相の基準を示す信号が割り当てられている。
【００３６】
Ｂ１〜Ｂ１６には、１フレーム毎に反転されるシンクコード（同期信号）が割り当てられている。受信側では、このシンクコードのビットパターンを検出して、ＴＭＣＣ信号の同期及びＯＦＤＭフレームの同期を検出する。
【００３７】
Ｂ１７〜Ｂ１９には、当該フレームが、同期変調用のフレームであるか差動変調用のフレームであるかを識別するセグメントの識別信号が割り当てられている。
【００３８】
Ｂ２０〜Ｂ１２１には、ＴＭＣＣ情報（１２０ビット）が割り当てられている。このＴＭＣＣ情報には、情報信号のキャリア変調方式、畳み込み符号化率、インタリーブ長、セグメント数等が記述されている。
【００３９】
Ｂ１２２〜Ｂ２０３には、パリティビットが割り当てられている。
【００４０】
そして、送信側では、以上のようなＯＦＤＭフレームを、チャネルエンコーダ内のフレーム構成部で生成する。受信側では、まず、シンボル単位の同期をとってＦＦＴ演算を行い、続いて、ＴＭＣＣ信号に記述されている同期信号を検出し、フレームの同期をとってデータの復号を行うこととなる。
【００４１】
【特許文献１】特開平１１−１７６４４号公報
【発明の開示】
【発明が解決しようとする課題】
【００４２】
ところで、受信側では、あるチャネルから他のチャネルへチャネル変更を行う場合、ローカル発振器の発振周波数を設定し直して、再度ＲＦ信号の受信から処理を開始する。そのため、チャネル変更を行った場合には、再度シンボルの同期をとってＦＦＴ演算を行い、続いて、再度ＴＭＣＣのシンクコードを検出してフレーム同期をとりデータの復号を行わなければならない。
【００４３】
しかしながら、フレーム同期を検出する場合、最低でも２つのフレームのシンクコードを検出する必要があるため、少なくともフレーム期間以上の時間を要してしまう。例えばＩＳＤＢ−Ｔ規格では、ＯＦＤＭフレームのフレーム長は、最大で約２５０ｍｓとなる。この場合、フレーム同期を検出するには約２５０ｍｓ必要となってしまう。フレーム同期を検出できなければ、例えば、フレーム単位で配置やデータが規定されているＳＰ信号の抽出、ＴＭＣＣ信号のデーコード、パンクチャリングの切り換え位置等を特定することができず、データの出力をすることができない。従って、チャネル変更をしたときから、変更後の音声や映像が出力されるまでの切り換え時間に非常に多くの時間を費やしてしまっていた。
【００４４】
これは、連結送信をしている場合であっても、連結送信をしていない場合であっても同様である。
【００４５】
本発明は、このような実情を鑑みてなされたものであり、受信する情報チャネルの変更時における切り換え時間を短くするＯＦＤＭ送信装置及び方法を提供することを目的とする。
【課題を解決するための手段】
【００４６】
本発明にかかるＯＦＤＭ送信装置は、複数の情報系列から直交周波数分割多重（ＯＦＤＭ）信号を生成して、送信するＯＦＤＭ送信装置において、上記情報系列から周波数領域のＯＦＤＭ信号を生成する複数のエンコーダと、上記各エンコーダから出力された複数の周波数領域のＯＦＤＭ信号を一括して逆フーリエ変換することにより、複数の情報系列が周波数方向に多重化されたベースバンドのＯＦＤＭ信号を生成する多重化／逆フーリエ変換部と、上記ベースバンドのＯＦＤＭ信号を直交変調する直交変調部と、直交変調された上記ＯＦＤＭ信号をＲＦ帯域の信号に周波数変換して送信する送信部とを備え、各上記エンコーダは、他のエンコーダにより生成される周波数領域のＯＦＤＭ信号とともに一括して逆フーリエ変換されているか否かを示す情報を、出力する周波数領域のＯＦＤＭ信号に含めることを特徴とする。
【００４７】
本発明にかかるＯＦＤＭ送信装置は、地上デジタル放送に用いられる直交周波数分割多重（ＯＦＤＭ）信号のＯＦＤＭ送信装置において、対応する情報チャネルの情報系列が入力され、入力された情報系列から周波数領域のＯＦＤＭ信号を生成する複数のエンコーダと、各上記エンコーダから出力された複数の周波数領域のＯＦＤＭ信号を一括して逆フーリエ変換することにより、複数の情報チャネルのＯＦＤＭ信号を周波数方向に連結して送信する連結送信部とを備え、各上記エンコーダは、他の情報チャネルに送信されるＯＦＤＭ信号が、当該情報チャネルに送信されるＯＦＤＭ信号と連結されているか否かを示す連結送信情報を、出力する周波数領域のＯＦＤＭ信号に含めることを特徴とする。
【００４８】
本発明にかかるＯＦＤＭ送信方法は、複数の情報系列から直交周波数分割多重（ＯＦＤＭ）信号を生成し、送信するＯＦＤＭ送信方法において、上記情報系列から周波数領域のＯＦＤＭ信号を複数生成し、出力された複数の周波数領域のＯＦＤＭ信号を一括して逆フーリエ変換して、複数の情報系列が周波数方向に多重化されたベースバンドのＯＦＤＭ信号を生成し、上記ベースバンドのＯＦＤＭ信号を直交変調し、直交変調された上記ＯＦＤＭ信号をＲＦ帯域の信号に周波数変換して送信し、生成される周波数領域のＯＦＤＭ信号とともに一括して逆フーリエ変換されているか否かを示す情報を、出力する周波数領域のＯＦＤＭ信号に含めることを特徴とする。
【００４９】
本発明にかかるＯＦＤＭ送信方法は、地上デジタル放送に用いられる直交周波数分割多重（ＯＦＤＭ）信号のＯＦＤＭ送信方法において、対応する情報チャネルの情報系列が入力され、入力された情報系列から周波数領域のＯＦＤＭ信号を複数生成し、出力された複数の周波数領域のＯＦＤＭ信号を一括して逆フーリエ変換することにより、複数の情報チャネルのＯＦＤＭ信号を周波数方向に連結して送信し、他の情報チャネルに送信されるＯＦＤＭ信号が、当該情報チャネルに送信されるＯＦＤＭ信号と連結されているか否かを示す連結送信情報を、出力する周波数領域のＯＦＤＭ信号に含めることを特徴とする。
【発明の効果】
【００５０】
本発明にかかるＯＦＤＭ送信装置及び方法では、複数の周波数領域のＯＦＤＭ信号を周波数方向に多重化し一括して逆フーリエ変換した連結送信を行い、その際に、他の情報チャネルに送信されるＯＦＤＭ信号が当該情報チャネルに送信されるＯＦＤＭ信号と連結されているか否かを示す連結送信情報も含める。
【００５１】
このような本発明によれば、受信する情報チャネルの変更時における切り換え時間を短くすることができ、映像や音声の再生、データの出力を早く開始することができる。
【００５２】
また、本発明にかかるＯＦＤＭ送信装置及び方法では、複数の周波数領域のＯＦＤＭ信号を周波数方向に多重化し一括して逆フーリエ変換した連結送信を行い、その際に、連結送信にかかわる連結送信情報を各周波数領域のＯＦＤＭ信号に含める。
【００５３】
このような本発明によれば、変更先の情報チャネルが、連結送信外への変更であるか、連結送信内での変更であるかを、容易の判断することができる。
【発明を実施するための最良の形態】
【００５４】
以下、本発明の実施の形態として、本発明を適用したＯＦＤＭ送信装置及びＯＦＤＭ受信装置について説明をする。
【００５５】
まず、送信側の構成について説明する。
【００５６】
送信側は、図１に示すように、複数のソースエンコーダ１ａ（１ａ−１〜１ａ−ｎ）と、ＯＦＤＭ送信装置１とから構成される。ソースエンコーダ１ａは、複数のベースバンドのビデオデータやオーディオデータ等が入力され、これらをＭＰＥＧ−２方式で圧縮符号化して複数のプログラムストリームを生成する。そして、ソースエンコーダ１ａは、これら複数のプログラムストリームをＭＰＥＧ−２Ｓｙｓｔｅｍｓに規定されるトランスポートストリームとして多重化する。ＯＦＤＭ送信装置１は、複数のソースエンコーダ１ａから出力される複数のトランスポートストリームを多重化して連結送信をする。
【００５７】
図２に、本発明を適用したＯＦＤＭ送信装置のブロック構成図を示す。
【００５８】
図２に示すＯＦＤＭ送信装置は、従来例において説明したＯＦＤＭ送信装置と同様に、３つの情報チャネルを連結送信する装置である。ＲＦ帯域での各情報チャネルの中心周波数は、図１７に示したものと同様に、第１の情報チャネルがｆ１、第２の情報チャネルがｆ２、第３の情報チャネルがｆ３であるものとする。
【００５９】
ＯＦＤＭ送信装置１は、第１のチャネルエンコーダ２-１と、第２のチャネルエンコーダ２-２と、第３のチャネルエンコーダ２-３と、同期制御部３と、第１の周波数変換部４-１と、第２の周波数変換部４-２と、第３の周波数変換部４-３と、多重化部５と、ＩＦＦＴ演算部６と、ガードインターバル付加部７と、直交変調部８と、周波数変換部９と、アンテナ１０とを備えて構成される。
【００６０】
第１のチャネルエンコーダ２-１には、第１の情報チャネルの情報系列が入力される。第１のチャネルエンコーダ２-１は、リードソロモン符号化処理、エネルギー拡散処理、インタリーブ処理、畳み込み符号化処理、マッピング処理、ＯＦＤＭフレーム構成処理等を行う。この第１のチャネルエンコーダ２-１には、ＯＦＤＭフレームのフレーム構成を行うフレーム構成部２-１ａが設けられている。このフレーム構成部２-１ａは、符号化された情報信号に、ＣＰ信号、ＡＣ信号、ＴＭＣＣ信号、ＳＰ信号等を付加して、図２１及び図２２に示したような、２０４個のＯＦＤＭシンボルからなるＯＦＤＭフレームを構成する。このフレーム構成部２-１は、このＯＦＤＭフレームを構成する際、そのフレームの同期タイミングが、同期制御部３により制御される。すなわち、フレームの切り出しシンボル及びフレームの切り出しタイミングが同期制御部３により制御される。この第１のチャネルエンコーダ２-１は、以上のような処理を行い、周波数領域のＯＦＤＭ信号である第１のチャネルデータを生成する。この周波数領域のＯＦＤＭ信号である第１のチャネルデータは、その中心周波数が０とされている。
【００６１】
第２のチャネルエンコーダ２-２、第３のチャネルエンコーダ２-３は、それぞれ第２の情報チャネルの情報系列及び第３の情報チャネルの情報系列に対して、第１のチャネルエンコーダ２-１と同様の処理を行う。また、同様に、ＯＦＤＭフレームのフレーム構成を行うフレーム構成部２-２ａ及びフレーム構成部２-３ａが設けられている。また、これらフレーム構成部２-２ａ及びフレーム構成部２-３ａも、同期制御部３により、構成するＯＦＤＭフレームの同期タイミングが制御されている。これら第２のチャネルエンコーダ２-２、第３のチャネルエンコーダ２-３から出力される周波数領域のＯＦＤＭ信号（第２のチャネルデータ及び第３のチャネルデータ）も、その中心周波数が０とされている。
【００６２】
同期制御部３は、第１のチャネルエンコーダ２-１、第２のチャネルエンコーダ２-２及び第３のチャネルエンコーダ３-１に対するＯＦＤＭフレームのフレームの同期タイミングを制御する。ここで、この同期制御部３は、第１から第３のチャネルデータのＯＦＤＭフレームが、時間的に全て一致するように、フレームの同期制御を行う。具体的には、各ＯＦＤＭフレームの先頭のＯＦＤＭシンボル（＃０）のタイミングが、他のチャネルの先頭シンボルのタイミングと一致するように、フレーム構成の同期タイミングを制御する。
【００６３】
第１の周波数変換部４-１は、第１のチャネルエンコーダ２-１から出力された第１のチャネルデータ（周波数領域のＯＦＤＭ信号）の中心周波数をシフトする周波数変換を行う。第１の周波数変換部４-１は、第１のチャネルデータの中心周波数を、０から（ｆ１−ｆ２）に周波数変換をする。
【００６４】
第２の周波数変換部４-２は、第２のチャネルエンコーダ２-２から出力された第２のチャネルデータ（周波数領域のＯＦＤＭ信号）の中心周波数をシフトする周波数変換を行う。第２の周波数変換部４-２は、第２のチャネルデータの中心周波数を、０から（ｆ２−ｆ２）に周波数変換をする。
【００６５】
第３の周波数変換部４-３は、第３のチャネルエンコーダ２-３から出力された第３のチャネルデータ（周波数領域のＯＦＤＭ信号）の中心周波数をシフトする周波数変換を行う。第３の周波数変換部４-３は、第３のチャネルデータの中心周波数を、０から（ｆ３−ｆ２）に周波数変換をする。
【００６６】
このような第１の周波数変換器４-１、第２の周波数変換部４-２及び第３の周波数変換部４-３の回路構成例を図３に示す。
【００６７】
周波数変換回路は、位相器１１と、位相角発生器１２と、累積加算器１３とを備えて構成される。
【００６８】
位相器１１には、例えば、ＢＰＳＫ、ＤＱＰＳＫ、ＱＰＳＫ、１６ＱＡＭ、６４ＱＡＭといった変調方式に従ってマッピングされた複素信号が入力される。入力される複素信号の信号点を（Ｉ、Ｑ）として表す。また、位相角発生器１２には、周波数シフト量Δｆと、ガードインターバル長ΔＴが入力される。周波数シフト量Δｆは、各情報チャネルのＲＦ周波数帯域における中心周波数と、連結送信する多重化信号のＲＦ周波数帯域における中心周波数との差分をとった値である。すなわち、第１の情報チャネルの周波数シフト量Δｆは（ｆ１−ｆ２）となり、第２の情報チャネルの周波数シフト量Δｆは（ｆ２−ｆ２）となり、第３の情報チャネルの周波数シフト量Δｆは（ｆ３−ｆ２）となる。
【００６９】
位相角発生器１２は、以下の式（１）に従い、位相角θを発生する。
θ＝ｆ（Δｆ，ΔＴ）＝２πΔｆ（Ｔ＋ΔＴ）
Ｔは、ベースバンドＯＦＤＭ信号の有効シンボル期間である。
【００７０】
位相角発生器１２により発生された位相角θ−は、累積加算器１２に入力される。
【００７１】
累積加算器１２は、入力された位相角を、１シンボル毎に累積加算し、累積加算結果θ´を出力する。この累積加算結果θ´は、位相器１１に入力される。
【００７２】
位相器１１は、入力された累積加算結果θ´を、以下の式（２）に代入して、信号点（Ｉ、Ｑ）に対して周波数シフトを行う。
【００７３】
【数１】
2005245028.tif 000003
【００７４】
第１の周波数変換器４-１、第２の周波数変換部４-２及び第３の周波数変換部４-３は、以上のようにして得られた信号点（Ｉ′，Ｑ′）を多重化器５に出力する。
【００７５】
なお、第２のチャネルデータは、連結送信される３つのチャネルのうち、第２の情報チャネルが中心位置に配置されるため、実質上周波数変換は行われない。
【００７６】
多重化部５は、第１の周波数変換部４-１、第２の周波数変換部４-２及び第３の周波数変換部４-３から出力された各チャネルデータを、周波数方向に多重化して、多重化信号を生成する。多重化して得られた多重化信号は、図４に示すように、周波数方向に第１の情報チャネル、第２の情報チャネル、第３の情報チャネルが多重化されているとともに、時間軸方向にはフレームの同期がとられた状態とされている。
【００７７】
ＩＦＦＴ演算部６は、多重化部５により多重化された３チャネル分の多重化信号を一括して逆フーリエ変換し、時間領域のベースバンドのＯＦＤＭ信号を生成する。生成されたベースバンドのＯＦＤＭ信号の周波数特性は、図１９に示したものと同様に、第１の情報チャネルの中心周波数が（ｆ１−ｆ２）となっており、第２の情報チャネルの中心周波数が０となっており、第３の情報チャネルの中心周波数が（ｆ３−ｆ２）となっている。そして、このベースバンドのＯＦＤＭ信号は、第１〜第３の情報チャネルの情報が周波数分割多重されているとともに、全ての搬送波間で符号間干渉が生じないように直交性が保たれている。
【００７８】
ガードインターバル付加部７は、ＩＦＦＴ演算部６からのベースバンドのＯＦＤＭ信号にガードインターバルを付加する。
【００７９】
直交変調部８は、ガードインターバルが付加されたベースバンドのＯＦＤＭ信号を、周波数ｆＩＦの中間周波数帯域の搬送波に対して直交変調し、ＩＦ信号を出力する。
【００８０】
周波数変換部９は、直交変調部８から出力されたＩＦ信号に、周波数ｆ２＋ｆＩＦの搬送波信号を乗算して、ＲＦ信号帯域の送信信号を生成する。
【００８１】
この周波数変換部９により生成された送信信号は、アンテナ１０を介して送信される。
【００８２】
以上のようにＯＦＤＭ送信装置１では、３つの情報チャネルのチャネルデータ（周波数領域のＯＦＤＭ信号）の中心周波数をそれぞれ変えて、これらを周波数方向に多重化し、複数の情報チャネルの周波数領域のＯＦＤＭ信号を一括して逆フーリエ変換する、というＯＦＤＭ信号の連結送信を行うことができる。
【００８３】
このような連結送信を行うと、３つのチャネルに対して一括してＩＦＦＴを行うこととなり各サブキャリア間の符号間干渉が発生せず直交性が保たれて変調される。そのため、連結された３つのチャネル内では干渉が生じない。従って、このＯＦＤＭ送信装置１では、隣接チャネルからの干渉を防ぐためのガードバンドを設けることなく、３チャネル分の情報の送信をすることができる。
【００８４】
さらに、このＯＦＤＭ送信装置１では、連結送信した複数の情報チャネルのＯＦＤＭフレームを同期させて送信している。
【００８５】
つぎに、受信側の構成について説明する。
【００８６】
受信側は、図５に示すように、ＯＦＤＭ受信装置２０と、ＭＰＥＧデコーダ２１とか構成される。ＯＦＤＭ受信装置２０は、ＯＦＤＭ送信装置１から放送された放送波を受信して、ＭＰＥＧデコーダ−２ｓｙｓｔｅｍｓのトランスポートストリームを復調する。ＭＰＥＧデコーダ２１は、復調されたトランスポートストリームから任意のプログラムストリームを選択して、ＭＰＥＧデコードし、ビデオデータやオーディオデータを出力する。
【００８７】
図６は、本発明を適用したＯＦＤＭ受信装置のブロック構成図である。
【００８８】
ＯＦＤＭ受信装置２０は、図６に示すように、アンテナ２２と、チューナ２３と、バンドパスフィルタ（ＢＰＦ）２４と、Ａ／Ｄ変換器２５と、デジタル直交復調部２６と、ｆｃ補正部２７と、ＦＦＴ演算部２８と、狭帯域ｆｃ誤差算出・ウィンドウシンク（ＦＡＦＣ・Ｗ−Ｓｙｎｃ）部２９と、広帯域ｆｃ誤差算出（ＷＡＦＣ）部３０と、数値コントロール発振部（ＮＣＯ）３１と、イコライザ３２と、周波数方向デインタリーバ３３と、時間方向デインタリーバ３４と、デマッピング部３５と、エラー訂正部３６と、ＴＭＣＣ復号部３７と、制御部３８と、メモリ３９とを備えている。
【００８９】
上記ＯＦＤＭ送信装置１から送信された放送波は、ＯＦＤＭ受信装置２０のアンテナ２２により受信され、ＲＦ信号としてチューナ２３に供給される。
【００９０】
アンテナ２２により受信されたＲＦ信号は、局部発振器及び乗算器等からなるチューナ２３によりＩＦ信号に周波数変換され、ＢＰＦ４に供給される。チューナ２３の局部発振周波数は、ユーザにより選択されたチャネルに応じた局部発信周波数が制御部３８により設定される。例えば、第１の情報チャネル（ＣＨ１）の受信を行う場合には局部発信周波数が（ｆ１）にチューニングされ、第２の情報チャネル（ＣＨ２）の受信を行う場合には局部発信周波数が（ｆ２）にチューニングされ、第３の情報チャネル（ＣＨ３）の受信を行う場合には局部発信周波数が（ｆ３）にチューニングされる。チューナ２３から出力されたＩＦ信号は、ＢＰＦ４によりフィルタリングされた後、Ａ／Ｄ変換器２５によりデジタル化され、デジタル直交復調部２６に供給される。
【００９１】
デジタル直交復調部２６は、所定の周波数（ｆＣ：キャリア周波数）のキャリア信号を用いて、デジタル化されたＩＦ信号を直交復調し、ベースバンドのＯＦＤＭ信号を出力する。このデジタル直交復調部２６から出力されるベースバンドのＯＦＤＭ信号は、ＦＦＴ演算される前のいわゆる時間領域の信号である。この時間領域のベースバンドＯＦＤＭ信号は、直交復調された結果、実軸成分（Ｉチャネル信号）と、虚軸成分（Ｑチャネル信号）とを含んだ複素信号となる。デジタル直交復調部２６により出力されるベースバンドＯＦＤＭ信号は、ｆｃ補正部２７に供給される。
【００９２】
ｆｃ補正部２７は、ＮＣＯ３１から出力されるｆｃ誤差補正信号とベースバンドＯＦＤＭ信号とを複素乗算し、ベースバンドＯＦＤＭ信号のキャリア周波数誤差を補正する。キャリア周波数誤差は、例えば局部発振器から出力される基準周波数のずれ等により生じるベースバンドＯＦＤＭ信号の中心周波数位置の誤差であり、この誤差が大きくなると出力されるデータの誤り率が増大する。ｆｃ補正部２７によりキャリア周波数誤差が補正されたベースバンドＯＦＤＭ信号は、ＦＦＴ演算部２８及びＦＡＦＣ・Ｗ−Ｓｙｎｃ部２９に供給される。
【００９３】
ＦＦＴ演算部２８は、ベースバンドＯＦＤＭ信号に対してＦＦＴ演算を行い、各サブキャリアに直交変調されているデータを抽出して出力する。このＦＦＴ演算部２８から出力される信号は、ＦＦＴされた後のいわゆる周波数領域の信号である。
【００９４】
ＦＦＴ演算部２８は、１つのＯＦＤＭシンボルから有効シンボル長の範囲（例えば２５６サンプル）の信号を抜き出し、すなわち、１つのＯＦＤＭシンボルからガードインターバル分の範囲を除き、抜き出したベースバンドＯＦＤＭ信号に対してＦＦＴ演算を行う。具体的にその演算開始位置は、ＯＦＤＭシンボルの境界から、ガードインターバルの終了位置までの間のいずれかの位置となる。この演算範囲のことをＦＦＴウィンドウと呼ぶ。
【００９５】
このようにＦＦＴ演算部２８から出力された周波数領域のＯＦＤＭ信号は、時間領域のベースバンドＯＦＤＭ信号と同様に、実軸成分（Ｉチャネル信号）と、虚軸成分（Ｑチャネル信号）とからなる複素信号となっている。周波数領域のＯＦＤＭ信号は、ＷＡＦＣ部３０、イコライザ３２に供給される。
【００９６】
ＦＡＦＣ・Ｗ−Ｓｙｎｃ部２９及びＷＡＦＣ部３０は、ｆｃ補正部２７の出力信号に含まれているキャリア周波数誤差を算出する。ＦＡＦＣ・Ｗ−Ｓｙｎｃ部２９は、サブキャリアの周波数間隔の±１／２以下の精度の狭帯域ｆｃ誤差を算出する。ＷＡＦＣ部３０は、サブキャリアの周波数間隔精度の広帯域ｆｃ誤差を算出する。ＦＡＦＣ部２９及びＷＡＦＣ部３０により求められたキャリア周波数誤差は、それぞれＮＣＯ３１に供給される。
【００９７】
また、ＦＡＦＣ・Ｗ−Ｓｙｎｃ部２９は、ＦＦＴ演算部２８によるＦＦＴ演算の開始タイミングを求め、ＦＦＴの演算範囲（ＦＦＴウィンドウ）を制御することも行う。このＦＦＴウィンドウの制御は、サブキャリアの周波数間隔の±１／２以下の精度の狭帯域キャリア周波数誤差を算出する際に得られるＯＦＤＭシンボルの境界位置情報、及び、そのＯＦＤＭ信号のガードインターバルの長さに基づき行われる。ＩＳＤＢ−Ｔ規格では、ガードインターバルの長さが、４パターン定められている。有効シンボルとの長さ比で表したときに、１／４、１／８、１／１６、１／３２の長さとなる。受信したＯＦＤＭ信号のガードインターバルの長さは、制御部３８により設定される。
【００９８】
ＮＣＯ３１は、ＦＡＦＣ部２９により算出されたサブキャリア周波数間隔の±１／２精度の狭帯域キャリア周波数誤差と、ＷＡＦＣ部３０により算出されたサブキャリア周波数間隔精度の広帯域ｆｃ誤差とを加算し、加算して得られたキャリア周波数誤差に応じて周波数が増減するｆｃ誤差補正信号を出力する。このｆｃ誤差補正信号は、複素信号であり、ｆｃ補正部２７に供給される。このｆｃ誤差補正信号は、ｆｃ補正部２７によりベースバンドＯＦＤＭ信号に複素乗算され、ベースバンドＯＦＤＭ信号のキャリア周波数誤差成分が除去される。
【００９９】
イコライザ３２は、例えばスキャッタードパイロット信号（ＳＰ信号）を用いて、ＯＦＤＭ周波数領域信号の位相等化及び振幅等化を行う。位相等化及び振幅等化がされた周波数領域のＯＦＤＭ信号は、周波数方向デインタリーバ３３及びＴＭＣＣ復号部３７に供給される。なお、送信された信号が、差動復調信号（ＤＱＰＳＫ）である場合には、このイコライザ３２の処理は行われない。
【０１００】
周波数方向デインタリーバ３３は、送信側で周波数方向にインタリーブされたデータを、そのインタリーブパターンに従ってデインタリーブする。周波数方向のデインタリーブ処理がされたデータは、時間方向デインタリーバ３４に供給される。
【０１０１】
時間方向デインタリーバ３４は、送信側で時間方向にインタリーブされたデータを、インタリーブパターンに従って、デインタリーブする。ＩＳＤＢ−Ｔ規格では、各モードでインタリーブパターンが５パターン定められている。例えば、モード１であれば、遅延補正シンボル数が０、２８、５６、１１２、２２４となるような、５つのパターンが規定されている。デインタリーブするために用いられるインタリーブパターンは、制御部３８の制御によって設定される。時間方向のデインタリーブ処理がされたデータは、デマッピング部３５に供給される。
【０１０２】
デマッピング部３５は、所定のキャリア変調方式に従ったデマッピング処理を行って、ＯＦＤＭ周波数領域信号の各サブキャリアに直交変調されているデータを復調する。ＩＳＤＢ−Ｔ規格では、キャリア変調方式としてＤＱＰＳＫ、ＱＰＳＫ、１６ＱＡＭ、６４ＱＡＭの変調方式が規定されている。デマッピング部３５は、デマッピングをするために必要となるマッピングパターン等が制御部３８の制御によって設定される。デマッピング部３５により復調されたデータは、エラー訂正部３６に供給される。
【０１０３】
エラー訂正部３６は、送信側でパンクチュアード畳み込み符号で符号化されたデータをビタビ復号し、さらに、外符号として付加されたリード−ソロモン符号を用いてエラー訂正処理を行う。ＩＳＤＢ−Ｔ規格では、１／２、２／３、３／４、５／６、７／８となるような、パンクチュアード畳み込み符号の符号化率が定められている。エラー訂正部３６は、ビタビ復号するために用いられる畳み込み符号の符号化率が制御部３８によって設定される。
【０１０４】
エラー訂正部３６によりエラー訂正がされたデータは、後段の例えばＭＰＥＧ復号部等に供給される。
【０１０５】
ＴＭＣＣ復号部３７は、シンボル内の所定のサブキャリア位置に挿入されてるＴＭＣＣ信号を抽出し、このＴＭＣＣに記述されている情報を復号する。ＴＭＣＣには、テレビジョン放送システムのシステム識別情報、当該ＴＭＣＣ情報を切り替えるためのカウントダウン情報、緊急警報放送用起動フラグ、セグメント形式識別フラグ、キャリア変調方式、畳み込み符号化率、時間方向のインタリーブパターン等の情報が記述されている。ＴＭＣＣ復号部３７は、復号した各情報を制御部３８に供給する。
【０１０６】
また、このＴＭＣＣ復号部３７は、ＴＭＣＣ信号のシンクコード（同期信号）を検出して、フレーム同期信号を生成する。このフレーム同期信号は、ＯＦＤＭフレームの所定の位置（例えばフレームの先頭位置）で例えばＯＮとなるような、受信したＯＦＤＭ信号の１フレーム期間及びフレームの先頭位置を規定する信号である。ＴＭＣＣ復号部３７は、例えば、ＴＭＣＣ信号のシンクコードに基づきＰＬＬ等をかけ同期クロック再生等を行うことによって、このフレーム同期信号を生成する。このフレーム同期信号は、例えば、イコライザ３２、エラー訂正部３６、制御部３８等に供給され、ＳＰ信号の同期タイミングやパンクチャードの切り換えタイミング等の制御に用いられる。
【０１０７】
制御部３８は、各部のコントロール及び装置全体のコントロールを行う。また、制御部３８には、ＴＭＣＣ復号部３７により復号された各情報が入力され、これらの情報に基づき各部の制御及びパラメータの設定等を行う。また、制御部３８は、メモリ３９に格納されている情報を読み出し、読み出した情報に基づき各部の制御及びパラメータの設定等を行う。
【０１０８】
メモリ３９には、コンテンツを放送する情報チャネル毎に、情報チャネルのＲＦ周波数、その情報チャネルのＯＦＤＭ信号のガードインターバル長、並びに、時間方向のインタリーブパターン、キャリア変調方式、畳み込み符号化率等のＴＭＣＣに記述されている情報内容がプリセットしてある。また、メモリ３９には、ｆｃ補正回路２７に供給するｆｃ誤差補正信号の初期値（ＷＡＦＣ部３６から出力される搬送波間隔単位の精度の補正値、及び、Ａ／Ｄ変換器２５に供給するサンプリングクロックのクロック周波数の初期値がプリセットされている。
【０１０９】
リモートコントローラ（リモコン）４０は、ユーザにより、視聴するプログラムを提供している情報チャネルの選択入力がされ、その選択情報が例えば赤外線通信等により制御部３８に送信される。ユーザは、例えば、紙面上に記載されているプログラムガイド等を参照して、情報チャネルを選択したり、或いは、例えばモニタ上に表示されたＥＰＧ（Electric Program Gide）を選択することにより情報チャネルを選択してもよい。
【０１１０】
つぎに、電源投入時の受信開始動作、連結送信外へのチャネル変更時（連結送信されていない他のチャネルへの変更）の受信開始動作、連結送信内でのチャネル変更時（連結送信されているチャネルへの変更）の受信開始動作について説明する。
【０１１１】
電源投入時の受信開始動作は以下のようになる。
【０１１２】
まず、ユーザは、電源投入後、リモートコントローラ４０を用いて、自分が視聴する情報チャネルを選択する。選択された情報チャネルを特定する情報は、ユーザ選択情報として、制御部３８に供給される。
【０１１３】
制御部３８は、ユーザにより選択された情報チャネルに対応したＲＦ周波数、ガードインターバル長、インタリーブパターン、キャリア変調方式、畳み込み符号化率、ｆｃ誤差補正信号の初期値、サンプリング周波数を、メモリ３９から読み出す。制御部３８は、受信動作開始とともに、読み出したこれらの情報に基づき、チューナ２３の局部発振周波数、ＦＡＦＣ・Ｗ−Ｓｙｎｃ９のガードインターバル長、時間方向デインタリーバ３４のインタリーブパターン、エラー訂正部３６の畳み込み符号化率、ｆｃ補正回路２７に供給するｆｃ誤差補正信号の初期値、Ａ／Ｄ変換器２５に供給するサンプリングクロックのクロック周波数の初期値を設定する。
【０１１４】
制御部３８は、各設定が終了すると、受信動作を開始する。
【０１１５】
このようにＯＦＤＭ受信装置２０では、予めコンテンツを提供している情報チャネルと、その情報チャネルのＲＦ周波数、その情報チャネルから放送されるＯＦＤＭ信号のガードインターバル、その情報チャネルのＯＦＤＭ信号に付加されているＴＭＣＣの内容（例えば、インタリーブパターン、キャリア変調方式、畳み込み符号化率）、クロック周波数及びｆｃ誤差補正信号の初期値を、予めメモリ３９内にプリセットしてある。そして、ユーザが受信する情報チャネルを選択すると、このメモリ３９内にプリセットされている情報に基づき、各種の設定がされる。
【０１１６】
なお、メモリ３９内に格納されているガードインターバル長情報が、実際に受信したＯＦＤＭ信号のガードインターバル長と異なっていて、正しい復調ができなかった場合（例えば、ＴＭＣＣが検出できなかった場合）には、新しくガードインターバル長のサーチを行い、設定をやり直すようにしてもよい。
【０１１７】
連結送信外へのチャネル変更時の受信開始動作は以下のようになる。
【０１１８】
まず、ユーザは、ある情報チャネルの受信中に、他の情報チャネルを視聴したい場合、リモートコントローラ４０を用いて、変更する情報チャネルを選択する。選択された情報チャネルを特定する情報は、ユーザ選択情報として、制御部３８に供給される。
【０１１９】
制御部３８は、ユーザにより選択された情報チャネルに対応したＲＦ周波数、ガードインターバル長、インタリーブパターン、キャリア変調方式、畳み込み符号化率を、メモリ３９から読み出す。制御部３８は、受信動作開始とともに、読み出したこれらの情報に基づき、チューナ２３の局部発振周波数、ＦＡＦＣ・Ｗ−Ｓｙｎｃ９のガードインターバル長、時間方向デインタリーバ３４のインタリーブパターン、エラー訂正部３６の畳み込み符号化率を設定する。
【０１２０】
また、制御部３８は、Ａ／Ｄ変換器３５のサンプリングクロック周波数、ｆｃ補正回路２７に供給するｆｃ誤差補正信号の値（ＷＡＦＣ部３６から出力される搬送波間隔単位の精度の補正値、及び、ＦＡＦＣ２９から出力される搬送波間隔以下の精度の補正値）を、チャネル変更前の値のまま保持しておく。
【０１２１】
制御部３８は、各設定が終了すると、受信動作を開始する。
【０１２２】
このようにＯＦＤＭ受信装置２０では、連結送信外へのチャネル変更時には、クロック周波数、ｆｃ誤差補正値の値を、チャネル変更前の値のまま保持して、次のチャネルの受信を開始する。このことにより、クロック同期の引き込み時間及びキャリア周波数同期の引き込み時間を短縮することができる。
【０１２３】
連結送信内でのチャネル変更時の受信開始動作は以下のようになる。
【０１２４】
まず、ユーザは、ある情報チャネルの受信中に、連結送信されている他の情報チャネルを視聴したい場合、リモートコントローラ４０を用いて、変更する情報チャネルを選択する。選択された情報チャネルを特定する情報は、ユーザ選択情報として、制御部３８に供給される。
【０１２５】
制御部３８は、ユーザにより選択された情報チャネルに対応したＲＦ周波数、インタリーブパターン、キャリア変調方式、畳み込み符号化率を、メモリ３９から読み出す。制御部３８は、受信動作開始とともに、読み出したこれらの情報に基づき、チューナ２３の局部発振周波数、ＦＡＦＣ・Ｗ−Ｓｙｎｃ９のガードインターバル長、時間方向デインタリーバ３４のインタリーブパターン、エラー訂正部３６の畳み込み符号化率を設定する。
【０１２６】
また、制御部３８は、ＦＦＴウィンドウの位置、Ａ／Ｄ変換器３５のサンプリングクロック周波数、ｆｃ補正回路２７に供給するｆｃ誤差補正信号の値（ＷＡＦＣ部３６から出力される搬送波間隔単位の精度の補正値、及び、ＦＡＦＣ２９から出力される搬送波間隔以下の精度の補正値）を、チャネル変更前の値のまま保持しておく。連結送信しているので、変更前の情報チャネルと変更後の情報チャネルとでガードインターバルの長さは同一である。従って、ＦＦＴウィンドウの位置を保持したままとしておいても、ＦＦＴウィンドウの同期をとることができ、そのため、ＦＦＴウィンドウの同期引き込み時間が短縮する。
【０１２７】
また、さらに、連結送信内で情報チャネルを変更する場合には、フレーム同期も保持したままとしておく。本発明では、連結送信する場合、図４に示したように、フレームの送信タイミングが同期するように各情報チャネルのフレーム構成がされている。そのため、フレームの同期タイミング（例えば、フレームの先頭位置）は、情報チャネル間で一致する。従って、連結送信内で情報チャネルを変更する場合には、変更前の情報チャネルに対するフレーム同期タイミングを用いて、変更後の情報チャネルのフレーム同期制御を行っても、同期制御を確実に行うことができる。
【０１２８】
このように、連結送信内で情報チャネルを変更する場合にフレーム同期を保持したままとすることで、新たにフレーム同期の引き込み動作を行う必要がなくなり、音声や映像の再生、データの復号を早く開始することができる。
【０１２９】
以上の３つの受信例における同期回路の動作をまとめた表を以下に示す。
【０１３０】
【表１】
2005245028.tif 000004
【０１３１】
なお、ｆｃ誤差補正信号の初期値は、ある情報チャネルのＲＦ周波数を最初に受信したときに出力されるｆｃ誤差を予め推定しておき、そのｆｃ誤差を受信開始時からキャンセルできるような値が設定される。このように初期値が設定されることによって、キャリア周波数同期の引き込みを短縮することができる。もっとも、チューナ２３の局部発振器の周波数精度がよい場合、チャネル変更時にある程度の周波数変化があったとしても、ｆｃ誤差がほとんど変化しないことがある。そのような場合には、チャネル変更前とチャネル変更後とで、ｆｃ誤差補正信号の値を保持したままとするようにすることで、さらにキャリア周波数同期の引き込みを短縮することができる。もっとも、チャネル変更時にｆｃ誤差が大きく変化すると推定される場合には、初期値を設定するようにする。
【０１３２】
以上のように本発明の実施の形態のＯＦＤＭ送信装置１では、複数の周波数領域のＯＦＤＭ信号を周波数方向に多重化し一括して逆フーリエ変換した連結送信を行い、その際に伝送フレームの同期をとって各周波数領域のＯＦＤＭ信号を生成する。
【０１３３】
そして、本発明の実施の形態のＯＦＤＭ受信装置２０では、上記連結送信がされている場合、その連結送信がされているチャネル間で受信する情報チャネルを切り換えたときには、伝送フレームの同期を保持して他のチャネルに切り換える。すなわち、伝送フレームの同期を切らずに情報チャネルの切り替えをする。
【０１３４】
このことにより、受信する情報チャネルの変更時における切り換え時間を短くすることができ、映像や音声の再生、データの出力を早く開始することができる。
【０１３５】
なお、本発明の実施の形態を説明するにあたり、連結するチャネル数を３つとした例を示したが、本発明では連結する情報チャネルの数を任意の数とすることができる。
【０１３６】
ところで、情報チャネルの変更動作を行う場合、まず、その変更先の情報チャネルが、連結送信外への変更であるか、連結送信内での変更であるかを、判断する必要がある。
【０１３７】
ここで、判断をする手法として、連結送信がされている情報チャネルのグループを、予めシステムにプリセットしておくということが考えられる。しかしながら、この場合には、連結送信をする情報チャネル数やそのＲＦ周波数等を一旦決定して放送を開始してしまうと、その後変更することができないため、放送局の追加などをする場合に汎用性をもたせることができない。そのため、変更前の情報チャネルで放送されている信号に含まれている情報内容から、変更先の情報チャネルが、連結送信外のチャネルであるのか、或いは、連結送信内のチャネルであるかを判断できることが望ましい。
【０１３８】
そこで、本発明では、変更先の情報チャネルが変更前の情報チャネルと連結送信されているかどうかを判断することができる連結送信情報を、ＴＭＣＣ信号やＭＰＥＧ−２ｓｙｓｔｅｍｓに規定されているＮＩＴ（Network Information Table）に記述することとしている。
【０１３９】
以下、その記述例について説明をする。
【０１４０】
まず、ＴＭＣＣ信号への記述例について説明をする。
【０１４１】
日本における地上デジタル音声放送方式であるＩＳＤＢ−Ｔｎ規格では、例えば、１８８ＭＨｚ〜１９４ＭＨｚ帯域や１９２〜１９８ＭＨｚ帯域（帯域幅６ＭＨｚ）が、ラジオ放送が使用する周波数帯域として割り当てられている。さらに、このＩＳＤＢ−Ｔｎ規格では、この帯域幅６ＭＨｚ内を、最大１３個までのセグメント（１セグメントが１情報チャネルに対応する。）を多重化して連結送信をすることが可能とされている。
【０１４２】
連結送信をする場合には、各チャネルエンコーダ２が各情報チャネルに割り当てて送信する周波数領域のＯＦＤＭ信号を生成した後、それぞれのＯＦＤＭ信号を周波数変換して多重化し、一括送信をすることとなる。
【０１４３】
各チャネルエンコーダ２は、ＯＦＤＭ信号のフレーム構成する生成するときに、ＴＭＣＣ情報（１０２ビット）内のＢ１１０〜Ｂ１１７に、連結セグメント数（Ｂ１１０〜Ｂ１１３）と、送信信号のセグメント番号（Ｂ１１４〜Ｂ１１７）とを含めて送信するようにしている。
【０１４４】
連結セグメント数とは、その送信信号（そのＴＭＣＣ信号が含まれている信号）とともに連結送信されているセグメントの総数を意味する値である。つまり、３つの情報チャネルが連結送信されていればセグメントの総数は３となり、１３個の情報チャネルが連結送信されていればセグメントの総数は１３となる。連結セグメント数の具体的な記述内容は、図８に示すようになる。例えば、２セグメントが連結送信されていれば各ビット（Ｂ１１０〜Ｂ１１３）の記述は”００１０”となり、３セグメントが連結送信されていれば各ビット（Ｂ１１０〜Ｂ１１３）の記述は”００１１”となり、４セグメントが連結送信されていれば各ビット（Ｂ１１０〜Ｂ１１３）の記述は”０１００”となる。さらに以後、１セグメント毎に値が１ずつインクリメントされ、１２セグメントであれば”１１００”、１３セグメントであれば”１１０１”となる。そして、単独送信の場合（連結送信されていない場合）であれば各ビット（Ｂ１１０〜Ｂ１１３）の記述は”１１１１”となる。なお、割り当てられていない値は、リザーブ領域である。また、階層構造を規定した、いわゆる３セグメント形式の場合には、連結送信には含めず、例えば、単独送信として記述する。
【０１４５】
セグメント番号とは、連結送信内での送信信号（そのＴＭＣＣ信号が含まれている信号）の相対的な位置を示す情報である。
【０１４６】
ＩＳＤＢ−Ｔｎ規格では、連結送信をする場合、図９に示すように、連結送信をしている中心のセグメントをセグメント番号＃０とし、以下、その中心セグメントから左右交互にセグメント番号が付けられていく。１３個のセグメントを連結送信する場合には、この図９に示すように、セグメント番号＃０〜＃１２が各セグメントに付けられることとなる。また、例えば、３個のセグメントを連結送信する場合には、図１０に示すように、セグメント番号＃０〜＃２が各セグメントに付けられ、６個のセグメントを連結送信する場合には、図１１に示すように、セグメント番号＃０〜＃５が各セグメントに付けられる。
【０１４７】
このようなセグメント番号のＴＭＣＣへの具体的な記述内容は、図１２に示すようになる。
【０１４８】
すなわち、その送信信号（そのＴＭＣＣ信号が含まれている信号）が、セグメント番号＃０のセグメントに位置するときには”１１１１”が記述され、その送信信号がセグメント番号＃１のセグメントに位置するときには”１１１０”が記述され、セグメント番号＃２のセグメントに位置するときには”１１０１”が記述される。以下１セグメント毎に値が１ずつデクリメントされ、セグメント番号＃１２のセグメントに位置するときには”００１１”が記述される。なお、割り当てられていない領域は、リザーブ領域となる。
【０１４９】
受信装置２１では 以上のようなＴＭＣＣ情報を取得して、以下のように変更先の情報チャネルが変更前の情報チャネルと連結送信されているかどうかを判断する。
【０１５０】
まず、情報チャネルの変更命令があると、例えばユーザから変更先のＲＦ周波数が入力される（或いはユーザからの番組や放送局等の選択情報が入力される。この場合は、この選択情報を例えばテーブル等を用いてＲＦ周波数に変換する。）。続いて、現在の情報チャネルのＲＦ周波数から、変更先のＲＦ周波数の周波数差を算出する。続いて、その周波数差を、１つの情報チャネルの帯域幅（１セグメントの帯域幅：４３０ｋＨｚ）で除算し、周波数差をセグメント数の差で換算する。
【０１５１】
続いて、その換算したセグメント数と、ＴＭＣＣ情報に記述された連結セグメント数及びセグメント番号とから、その変更が、連結送信外への変更であるか、連結送信内での変更であるかを判断する。例えば、変更前の送信信号のＴＭＣＣ信号の記述内容が、図１３に示すように、連結セグメント数が８であり、セグメント番号が＃４であるとする。このとき、換算したセグメント差が、−５であれば、変更先の情報チャネルは、セグメント番号＃５となり、連結送信内での変更であることがわかる。また、換算したセグメント差が、＋４であれば、変更先の情報チャネルにはセグメント番号が割り当てられておらず、連結送信外への変更であることがわかる。
【０１５２】
以上のように、ＴＭＣＣ情報に連結セグメント数とセグメント番号とを記述することによって、変更先の情報チャネルが、連結送信外への変更であるか、連結送信内での変更であるかを、容易の判断することができる。
【０１５３】
つぎに、ＭＰＥＧ−２ｓｙｓｔｅｍｓに規定されているＮＩＴに記述する例について説明をする。
【０１５４】
上述したようにＩＳＤＢ−Ｔｎ規格では、帯域幅６ＭＨｚ内を、最大１３個までのセグメント（１セグメントが１情報チャネルに対応する。）を多重化して連結送信をすることが可能とされている。ＮＩＴに連結送信情報を記述する場合には、この６ＭＨｚの帯域幅内に送信される情報チャネルを、連結送信している情報チャネル単位でグループ分けする。そして、各グループにそれぞれユニークなグループＩＤを設け、このグループＩＤをＮＩＴに記述するようにする。
【０１５５】
例えば、６ＭＨｚ帯域内の最も低い周波数の連結送信グループにグループ＃ＩＤ０を割り当て、次の連結送信グループにグループＩＤ＃１、以後、７番目に連結送信グループ（グループＩＤ＃６）までそれぞれグループＩＤを割り当てる。そして、図１４に示すように、それぞれのグループ番号を３ビットの値で表現した連結送信情報をＮＩＴに記述する。なお、単独送信の場合（連結送信をしていない場合）には、別途ユニークな値（例えば、“１１１”）を割り当てる。
【０１５６】
６ＭＨｚの帯域内に、２セグメントの連結送信がされた連結送信グループが５個あり、単独送信のセグメントが１個ある場合、図１５に示すように、各連結送信グループにグループＩＤが割り当てられる。
【０１５７】
このようなＮＩＴは、ソースエンコーダ１ａにより、全ての情報チャネルに対して同一の内容が記述されることとなる。そして、受信側では、図５に示したように、ＭＰＥＧデコーダ２１によりＮＩＴが解析され、その情報が受信側にフィードバックされる。すなわち、受信装置２１は、他の情報チャネルがどの連結送信グループに属するかが、このＮＩＴが解析されることにより、常に判断することができる。
【０１５８】
受信装置２１では  ＮＩＴ情報に記述された連結送信情報を受信して、以下のように、変更先の情報チャネルが変更前の情報チャネルと連結送信されているかどうかを判断する。
【０１５９】
まず、情報チャネルの変更の命令があると、変更先の情報チャネルが、連結送信が可能な周波数チャネルの範囲（上述した６ＭＨｚ帯域の範囲である。なお、ＩＳＤＢ−Ｔｎの場合、この帯域の範囲外の情報チャネルとは連結送信がされないことが規定されている。）にあるかどうかを判断する。変更先の情報チャネルが、この６ＭＨｚ帯域の範囲外にある場合には、連結送信がされていないと判断する。変更先の情報チャネルがこの６ＭＨｚ帯域の範囲内にある場合には、続いて、ＮＩＴを参照し、変更先の情報チャネルの連結送信グループのグループＩＤと、変更前の情報チャネルの連結送信グループのグループＩＤとを比較する。比較した結果、グループＩＤが一致すれば、その変更先の情報チャネルが、連結送信内での変更であるかとを判断する。また、グループＩＤが一致しなければ、その変更先の情報チャネルが連結送信外への変更であると判断する。
【０１６０】
以上のように、ＮＩＴに連結送信グループＩＤを記述することによって変更先の情報チャネルが、連結送信外への変更であるか、連結送信内での変更であるかを、容易の判断することができる。
【０１６１】
なお、このような連結送信情報は、ＴＭＣＣ情報又はＮＩＴのいずれか一方のみに記述してもよいし、また、ＴＭＣＣ情報及びＮＩＴの両者に記述してもよい。
【０１６２】
また、チャネルの変更が連結送信外への変更であるか、連結送信内での変更であるかを判断した後、例えば、送信時にＯＦＤＭフレームの配置に同期がとられていれば、フレーム同期の保持を行うが、もし、ＯＦＤＭフレームの配置に同期がとられていなければ、ＦＦＴウィンドの同期の保持のみを行うようにしてもよい。
【図面の簡単な説明】
【０１６３】
【図１】ソースエンコーダとＯＦＤＭ送信装置との構成を示す図である。
【図２】本発明を適用したＯＦＤＭ送信装置のブロック構成図である。
【図３】周波数変換部のブロック構成図である。
【図４】多重化されたＯＦＤＭ信号のフレーム同期について説明する図である。
【図５】ＯＦＤＭ受信装置とＭＰＥＧデコーダとの構成を示す図である。
【図６】本発明を適用したＯＦＤＭ受信装置のブロック構成図である。
【図７】ＴＭＣＣ情報に記述する連結セグメント数及び送信信号のセグメント番号について説明する図である。
【図８】連結セグメント数の具体的な記述内容について説明をする図である。
【図９】１３セグメントを連結送信した例を示す図である。
【図１０】３セグメントを連結送信した例を示す図である。
【図１１】６セグメントをを連結送信した例を示す図である。
【図１２】セグメント番号の具体的な記述内容について説明をする図である。
【図１３】連結送信内へのチャネル変更の場合と、連結送信外へのチャネル変更について説明をする図である。
【図１４】連結送信グループＩＤについて説明をする図である。
【図１５】２セグメントの連結送信がされた連結送信グループが５個あり、単独送信のセグメントが１個ある場合の送信例を示す図である。
【図１６】チャネル間に設けられたガードバンドについて説明をする図である。
【図１７】連結送信がされた信号を説明をする図である。
【図１８】従来のＯＦＤＭ送信装置のブロック構成図である。
【図１９】３チャネルを一括してＩＦＦＴ変換して得られたベースバンドのＯＦＤＭ信号の周波数特性図である。
【図２０】ガードインターバルが含まれたＯＦＤＭシンボルについて説明をする図である。
【図２１】差動変調（ＤＱＰＳＫ）により情報信号を変調する場合におけるフレーム構成について説明をする図である。
【図２２】同期変調（ＱＰＳＫ、１６ＱＡＭ、６４ＱＡＭ）により情報信号を変調する場合におけるフレーム構成を説明する図である。
【図２３】差動変調用のＯＦＤＭフレームでのＴＭＣＣ信号及びＡＣ信号のシンボル内における配置を説明する図である。
【図２４】同期変調用のＯＦＤＭフレームでのＴＭＣＣ信号及びＡＣ信号のシンボル内における配置を説明する図である。
【図２５】ＴＭＣＣ信号内の含まれている情報内容を説明するための図である。
【符号の説明】
【０１６４】
１ａ  ソースエンコーダ、０  ＯＦＤＭ送信装置、２-１，２-２，２-３  チャネルエンコーダ、２-１ａ，２-２ａ，２-３ａ  フレーム構成部、３-１，４-２，４-３  周波数変換部、５  多重化部、６  ＩＦＦＴ演算部、７  ガードインターバル付加部、８  直交変調部、９  周波数変換部、１０  アンテナ、２０  ＯＦＤＭ受信装置、２１  ＭＰＥＧデコーダ、２３  チューナ、２４  ＢＰＦ、２５  Ａ／Ｄ変換部、２６  デジタル直交復調、２７  ｆｃ補正部、２８  ＦＦＴ演算部、２９  ＦＡＦＣ・Ｗ−Ｓｙｎｃ、３０  ＷＡＦＣ、３１  ＮＣＯ、３２  イコライザ、３３  周波数方向デインタリーバ、３４  時間方向デインタリーバ、３５  デマッピング部、３６  エラー訂正部、３７  ＴＭＣＣ復号部、３８  制御部、３９  メモリ、４０  リモートコントローラ
【図１】
2005245028.tif 000005
【図２】
2005245028.tif 000006
【図３】
2005245028.tif 000007
【図４】
2005245028.tif 000008
【図５】
2005245028.tif 000009
【図６】
2005245028.tif 000010
【図７】
2005245028.tif 000011
【図８】
2005245028.tif 000012
【図９】
2005245028.tif 000013
【図１０】
2005245028.tif 000014
【図１１】
2005245028.tif 000015
【図１２】
2005245028.tif 000016
【図１３】
2005245028.tif 000017
【図１４】
2005245028.tif 000018
【図１５】
2005245028.tif 000019
【図１６】
2005245028.tif 000020
【図１７】
2005245028.tif 000021
【図１８】
2005245028.tif 000022
【図１９】
2005245028.tif 000023
【図２０】
2005245028.tif 000024
【図２１】
2005245028.tif 000025
【図２２】
2005245028.tif 000026
【図２３】
2005245028.tif 000027
【図２４】
2005245028.tif 000028
【図２５】
2005245028.tif 000029
【手続補正書】
【提出日】平成17年5月12日(2005.5.12)
【手続補正１】
【補正対象書類名】明細書
【補正対象項目名】００２０
【補正方法】変更
【補正の内容】
【００２０】
直交変調部１０７は、ガードインターバルが付加されたベースバンドのＯＦＤＭ信号を、周波数ｆＩＦの中間周波数帯の搬送波に対して直交変調し、ＩＦ号を出力する。
【手続補正２】
【補正対象書類名】明細書
【補正対象項目名】００３５
【補正方法】変更
【補正の内容】
【００３５】
Ｂ０には、差動復調の振幅及び位相の基準を示す信号が割り当てられている。
【手続補正３】
【補正対象書類名】明細書
【補正対象項目名】００３８
【補正方法】変更
【補正の内容】
【００３８】
Ｂ２０〜Ｂ１２１には、ＴＭＣＣ情報（１０２ビット）が割り当てられている。このＴＭＣＣ情報には、情報信号のキャリア変調方式、畳み込み符号化率、インタリーブ長、セグメント数等が記述されている。
【手続補正４】
【補正対象書類名】明細書
【補正対象項目名】００６７
【補正方法】変更
【補正の内容】
【００６７】
周波数変換回路は、移相器１１と、位相角発生器１２と、累積加算器１３とを備えて構成される。
【手続補正５】
【補正対象書類名】明細書
【補正対象項目名】００６８
【補正方法】変更
【補正の内容】
【００６８】
移相器１１には、例えば、ＢＰＳＫ、ＤＱＰＳＫ、ＱＰＳＫ、１６ＱＡＭ、６４ＱＡＭといった変調方式に従ってマッピングされた複素信号が入力される。入力される複素信号の信号点を（Ｉ，Ｑ）として表す。また、位相角発生器１２には、周波数シフト量Δｆと、ガードインターバル長ΔＴが入力される。周波数シフト量Δｆは、各情報チャネルのＲＦ周波数帯域における中心周波数と、連結送信する多重化信号のＲＦ周波数帯域における中心周波数との差分をとった値である。すなわち、第１の情報チャネルの周波数シフト量Δｆは（ｆ１−ｆ２）となり、第２の情報チャネルの周波数シフト量Δｆは（ｆ２−ｆ２）となり、第３の情報チャネルの周波数シフト量Δｆは（ｆ３−ｆ２）となる。
【手続補正６】
【補正対象書類名】明細書
【補正対象項目名】００７０
【補正方法】変更
【補正の内容】
【００７０】
位相角発生器１２により発生された位相角θは、累積加算器１３に入力される。
【手続補正７】
【補正対象書類名】明細書
【補正対象項目名】００７１
【補正方法】変更
【補正の内容】
【００７１】
累積加算器１３は、入力された位相角θを、１シンボル毎に累積加算し、累積加算結果θ´を出力する。この累積加算結果θ´は、移相器１１に入力される。
【手続補正８】
【補正対象書類名】明細書
【補正対象項目名】００７２
【補正方法】変更
【補正の内容】
【００７２】
移相器１１は、入力された累積加算結果θ´を、以下の式（２）に代入して、信号点（Ｉ，Ｑ）に対して周波数シフトを行う。
【手続補正９】
【補正対象書類名】明細書
【補正対象項目名】００７９
【補正方法】変更
【補正の内容】
【００７９】
直交変調部８は、ガードインターバルが付加されたベースバンドのＯＦＤＭ信号を、周波数ｆＩＦの中間周波数帯域の搬送波に対して直交変調し、ＩＦ信号を出力する。
【手続補正１０】
【補正対象書類名】明細書
【補正対象項目名】００８６
【補正方法】変更
【補正の内容】
【００８６】
受信側は、図５に示すように、ＯＦＤＭ受信装置２０と、ＭＰＥＧデコーダ２１とから構成される。ＯＦＤＭ受信装置２０は、ＯＦＤＭ送信装置１から放送された放送波を受信して、ＭＰＥＧデコーダ−２ｓｙｓｔｅｍｓのトランスポートストリームを復調する。ＭＰＥＧデコーダ２１は、復調されたトランスポートストリームから任意のプログラムストリームを選択して、ＭＰＥＧデコードし、ビデオデータやオーディオデータを出力する。
【手続補正１１】
【補正対象書類名】明細書
【補正対象項目名】００９６
【補正方法】変更
【補正の内容】
【００９６】
ＦＡＦＣ・Ｗ−Ｓｙｎｃ部２９及びＷＡＦＣ部３０は、ｆｃ補正部２７の出力信号に含まれているキャリア周波数誤差を算出する。ＦＡＦＣ・Ｗ−Ｓｙｎｃ部２９は、サブキャリアの周波数間隔の±１／２以下の精度の狭帯域ｆｃ誤差を算出する。ＷＡＦＣ部３０は、サブキャリアの周波数間隔精度の広帯域ｆｃ誤差を算出する。ＦＡＦＣ・Ｗ−Ｓｙｎｃ部２９及びＷＡＦＣ部３０により求められたキャリア周波数誤差は、それぞれＮＣＯ３１に供給される。
【手続補正１２】
【補正対象書類名】明細書
【補正対象項目名】００９８
【補正方法】変更
【補正の内容】
【００９８】
ＮＣＯ３１は、ＦＡＦＣ・Ｗ−Ｓｙｎｃ部２９により算出されたサブキャリア周波数間隔の±１／２精度の狭帯域キャリア周波数誤差と、ＷＡＦＣ部３０により算出されたサブキャリア周波数間隔精度の広帯域ｆｃ誤差とを加算し、加算して得られたキャリア周波数誤差に応じて周波数が増減するｆｃ誤差補正信号を出力する。このｆｃ誤差補正信号は、複素信号であり、ｆｃ補正部２７に供給される。このｆｃ誤差補正信号は、ｆｃ補正部２７によりベースバンドＯＦＤＭ信号に複素乗算され、ベースバンドＯＦＤＭ信号のキャリア周波数誤差成分が除去される。
【手続補正１３】
【補正対象書類名】明細書
【補正対象項目名】０１０８
【補正方法】変更
【補正の内容】
【０１０８】
メモリ３９には、コンテンツを放送する情報チャネル毎に、情報チャネルのＲＦ周波数、その情報チャネルのＯＦＤＭ信号のガードインターバル長、並びに、時間方向のインタリーブパターン、キャリア変調方式、畳み込み符号化率等のＴＭＣＣに記述されている情報内容がプリセットしてある。また、メモリ３９には、ｆｃ補正回路２７に供給するｆｃ誤差補正信号の初期値（ＷＡＦＣ部３０から出力される搬送波間隔単位の精度の補正値、及び、Ａ／Ｄ変換器２５に供給するサンプリングクロックのクロック周波数の初期値）がプリセットされている。
【手続補正１４】
【補正対象書類名】明細書
【補正対象項目名】０１１３
【補正方法】変更
【補正の内容】
【０１１３】
制御部３８は、ユーザにより選択された情報チャネルに対応したＲＦ周波数、ガードインターバル長、インタリーブパターン、キャリア変調方式、畳み込み符号化率、ｆｃ誤差補正信号の初期値、サンプリング周波数を、メモリ３９から読み出す。制御部３８は、受信動作開始とともに、読み出したこれらの情報に基づき、チューナ２３の局部発振周波数、ＦＡＦＣ・Ｗ−Ｓｙｎｃ部２９のガードインターバル長、時間方向デインタリーバ３４のインタリーブパターン、エラー訂正部３６の畳み込み符号化率、ｆｃ補正回路２７に供給するｆｃ誤差補正信号の初期値、Ａ／Ｄ変換器２５に供給するサンプリングクロックのクロック周波数の初期値を設定する。
【手続補正１５】
【補正対象書類名】明細書
【補正対象項目名】０１１９
【補正方法】変更
【補正の内容】
【０１１９】
制御部３８は、ユーザにより選択された情報チャネルに対応したＲＦ周波数、ガードインターバル長、インタリーブパターン、キャリア変調方式、畳み込み符号化率を、メモリ３９から読み出す。制御部３８は、受信動作開始とともに、読み出したこれらの情報に基づき、チューナ２３の局部発振周波数、ＦＡＦＣ・Ｗ−Ｓｙｎｃ部２９のガードインターバル長、時間方向デインタリーバ３４のインタリーブパターン、エラー訂正部３６の畳み込み符号化率を設定する。
【手続補正１６】
【補正対象書類名】明細書
【補正対象項目名】０１２０
【補正方法】変更
【補正の内容】
【０１２０】
また、制御部３８は、Ａ／Ｄ変換器２５のサンプリングクロック周波数、ｆｃ補正回路２７に供給するｆｃ誤差補正信号の値（ＷＡＦＣ部３０から出力される搬送波間隔単位の精度の補正値、及び、ＦＡＦＣ・Ｗ−Ｓｙｎｃ部２９から出力される搬送波間隔以下の精度の補正値）を、チャネル変更前の値のまま保持しておく。
【手続補正１７】
【補正対象書類名】明細書
【補正対象項目名】０１２５
【補正方法】変更
【補正の内容】
【０１２５】
制御部３８は、ユーザにより選択された情報チャネルに対応したＲＦ周波数、インタリーブパターン、キャリア変調方式、畳み込み符号化率を、メモリ３９から読み出す。制御部３８は、受信動作開始とともに、読み出したこれらの情報に基づき、チューナ２３の局部発振周波数、ＦＡＦＣ・Ｗ−Ｓｙｎｃ部２９のガードインターバル長、時間方向デインタリーバ３４のインタリーブパターン、エラー訂正部３６の畳み込み符号化率を設定する。
【手続補正１８】
【補正対象書類名】明細書
【補正対象項目名】０１２６
【補正方法】変更
【補正の内容】
【０１２６】
また、制御部３８は、ＦＦＴウィンドウの位置、Ａ／Ｄ変換器２５のサンプリングクロック周波数、ｆｃ補正回路２７に供給するｆｃ誤差補正信号の値（ＷＡＦＣ部３０から出力される搬送波間隔単位の精度の補正値、及び、ＦＡＦＣ・Ｗ−Ｓｙｎｃ部２９から出力される搬送波間隔以下の精度の補正値）を、チャネル変更前の値のまま保持しておく。連結送信しているので、変更前の情報チャネルと変更後の情報チャネルとでガードインターバルの長さは同一である。従って、ＦＦＴウィンドウの位置を保持したままとしておいても、ＦＦＴウィンドウの同期をとることができ、そのため、ＦＦＴウィンドウの同期引き込み時間が短縮する。
【手続補正１９】
【補正対象書類名】明細書
【補正対象項目名】０１４３
【補正方法】変更
【補正の内容】
【０１４３】
各チャネルエンコーダ２は、ＯＦＤＭ信号のフレームを生成するときに、ＴＭＣＣ情報（１０２ビット）内のＢ１１０〜Ｂ１１７に、連結セグメント数（Ｂ１１０〜Ｂ１１３）と、送信信号のセグメント番号（Ｂ１１４〜Ｂ１１７）とを含めて送信するようにしている。
【手続補正２０】
【補正対象書類名】明細書
【補正対象項目名】０１５５
【補正方法】変更
【補正の内容】
【０１５５】
例えば、６ＭＨｚ帯域内の最も低い周波数の連結送信グループにグループＩＤ＃０を割り当て、次の連結送信グループにグループＩＤ＃１、以後、７番目に連結送信グループ（グループＩＤ＃６）までそれぞれグループＩＤを割り当てる。そして、図１４に示すように、それぞれのグループ番号を３ビットの値で表現した連結送信情報をＮＩＴに記述する。なお、単独送信の場合（連結送信をしていない場合）には、別途ユニークな値（例えば、狽P１１煤jを割り当てる。
【手続補正２１】
【補正対象書類名】図面
【補正対象項目名】図３
【補正方法】変更
【補正の内容】
【図３】
2005245028.tif 000030
【手続補正２２】
【補正対象書類名】図面
【補正対象項目名】図２５
【補正方法】変更
【補正の内容】
【図２５】
2005245028.tif 000031